Podtech/llm-jp-corpus-v4-ja_patent huggingface dataset:
【手続補正書】
【提出日】平成31年3月14日(2019.3.14)
【手続補正１】
【補正対象書類名】明細書
【補正対象項目名】００４３
【補正方法】変更
【補正の内容】
【００４３】
図７におけるガラス基板１の屈折率をｎ１、ＩＴＯ電極２の屈折率をｎ２、ＩＴＯ電極２のさらに内側である液晶層側に成形するＳｉＯｘ膜１２の屈折率をｎ３とすると、その透過率Ｔ［ＳｉＯｘ］は、前述の（３）式と同じ式で表すことができる。そして、例えばｘ＝１．５である場合、ガラスの屈折率ｎ１＝１．５２、ＩＴＯの屈折率ｎ２＝２．００、ＳｉＯｘの屈折率ｎ３＝１．７５を代入すると、Ｔ［ＳｉＯｘ］＝０．９７７となる。
【手続補正２】
【補正対象書類名】明細書
【補正対象項目名】００５３
【補正方法】変更
【補正の内容】
【００５３】
この結果、この実施の形態２における高透過ＩＴＯ膜付きガラス２０においては、ＩＴＯ電極２の膜厚が８ｎｍである場合に、ＳｉＯｘ膜１２（１≦ｘ＜２）の膜厚が２００ｎｍに近いほど、従来に比べてより透過率の高いＩＴＯ膜付きガラスとすることができる、ということがわかる。
【手続補正３】
【補正対象書類名】図面
【補正対象項目名】図１
【補正方法】変更
【補正の内容】
【図１】
2017173428.tif 000001
【手続補正書】
【提出日】平成31年3月6日(2019.3.6)
【手続補正１】
【補正対象書類名】明細書
【補正対象項目名】０００７
【補正方法】変更
【補正の内容】
【０００７】
本発明の第１態様に係る画像形成装置は、回転して筐体の開口部を開閉する開閉部材と、前記筐体の内部に配置される像保持体と、前記筐体の内部に配置され、前記開閉部材の開閉動作に伴って移動し、前記開閉部材が前記筐体の前記開口部を閉止する閉止位置で、前記像保持体と対向する対向位置に配置され、前記開閉部材が前記筐体の前記開口部を開放する開放位置で、前記像保持体から退避する退避位置に配置され、対向位置に配置された状態で前記像保持体を露光して静電潜像を形成する露光部材と、静電潜像を現像する現像部材と、少なくとも前記露光部材が対向位置から退避位置へ移動している過程で、前記露光部材を接地する接地部材と、を備えることを特徴とする。
【手続補正２】
【補正対象書類名】明細書
【補正対象項目名】０００８
【補正方法】変更
【補正の内容】
【０００８】
本発明の第２態様に係る画像形成装置は、回転して筐体の開口部を開閉する開閉部材と、前記筐体の内部に配置される像保持体と、前記筐体の内部に配置され、前記開閉部材の開閉動作に伴って移動し、前記開閉部材が前記筐体の前記開口部を閉止する閉止位置で、前記像保持体と対向する対向位置に配置され、前記開閉部材が前記筐体の前記開口部を開放する開放位置で、前記像保持体から退避する退避位置に配置され、対向位置に配置された状態で前記像保持体を露光して静電潜像を形成する露光部材と、静電潜像を現像する現像部材と、少なくとも対向位置と退避位置との間の位置に配置されている前記露光部材を接地する接地部材と、を備えることを特徴とする。
本発明の第３態様に係る画像形成装置は、第１態様又は第２態様に記載の画像形成装置において、前記接地部材は、前記露光部材が対向位置に配置されている状態でも前記露光部材を接地し、前記接地部材は、前記露光部材に取り付けられた板状の第一部材と、前記筐体に取り付けられ、接地されている板状の第二部材と、前記筐体に取り付けられ、接地されているコイル状の伸縮部材と、を有し、前記露光部材が対向位置に配置されている状態で、前記第一部材と前記第二部材とが接触し、かつ、前記第一部材と前記伸縮部材とが離間し、前記露光部材が対向位置から退避位置へ移動している過程では、前記露光部材の移動に伴って前記第一部材と前記第二部材とが離間し、かつ、前記第一部材と前記第二部材とが離間する前に、前記露光部材の移動に伴って前記第一部材と前記伸縮部材とが接触していることを特徴とする。
【手続補正３】
【補正対象書類名】明細書
【補正対象項目名】０００９
【補正方法】変更
【補正の内容】
【０００９】
本発明の第１態様又は第２態様の画像形成装置によれば、開閉部材が半開きの状態で露光部材が接地されていない場合と比して、開閉部材が半開きの状態でユーザが筐体の内部に手を入れて露光部材に触れても露光部材が破損するのを抑制することができる。
【手続補正４】
【補正対象書類名】明細書
【補正対象項目名】００１０
【補正方法】変更
【補正の内容】
【００１０】
本発明の第３形態の画像形成装置によれば、露光部材が対向位置に配置されている状態で、第一部材と伸縮部材とが接触している場合と比して、露光部材が稼動している最中に、アンテナ効果によって露光部材にノイズが発生するのを抑制することができる。
【手続補正５】
【補正対象書類名】特許請求の範囲
【補正対象項目名】全文
【補正方法】変更
【補正の内容】
【特許請求の範囲】
【請求項１】
回転して筐体の開口部を開閉する開閉部材と、
前記筐体の内部に配置される像保持体と、
前記筐体の内部に配置され、前記開閉部材の開閉動作に伴って移動し、前記開閉部材が前記筐体の前記開口部を閉止する閉止位置で、前記像保持体と対向する対向位置に配置され、前記開閉部材が前記筐体の前記開口部を開放する開放位置で、前記像保持体から退避する退避位置に配置され、対向位置に配置された状態で前記像保持体を露光して静電潜像を形成する露光部材と、
静電潜像を現像する現像部材と、
少なくとも前記露光部材が対向位置から退避位置へ移動している過程で、前記露光部材を接地する接地部材と、
を備える画像形成装置。
【請求項２】
回転して筐体の開口部を開閉する開閉部材と、
前記筐体の内部に配置される像保持体と、
前記筐体の内部に配置され、前記開閉部材の開閉動作に伴って移動し、前記開閉部材が前記筐体の前記開口部を閉止する閉止位置で、前記像保持体と対向する対向位置に配置され、前記開閉部材が前記筐体の前記開口部を開放する開放位置で、前記像保持体から退避する退避位置に配置され、対向位置に配置された状態で前記像保持体を露光して静電潜像を形成する露光部材と、
静電潜像を現像する現像部材と、
少なくとも対向位置と退避位置との間の位置に配置されている前記露光部材を接地する接地部材と、
を備える画像形成装置。
【請求項３】
前記接地部材は、前記露光部材が対向位置に配置されている状態でも前記露光部材を接地し、
前記接地部材は、
前記露光部材に取り付けられた板状の第一部材と、
前記筐体に取り付けられ、接地されている板状の第二部材と、
前記筐体に取り付けられ、接地されているコイル状の伸縮部材と、を有し、
前記露光部材が対向位置に配置されている状態で、前記第一部材と前記第二部材とが接触し、かつ、前記第一部材と前記伸縮部材とが離間し、前記露光部材が対向位置から退避位置へ移動している過程では、前記露光部材の移動に伴って前記第一部材と前記第二部材とが離間し、かつ、前記第一部材と前記第二部材とが離間する前に、前記露光部材の移動に伴って前記第一部材と前記伸縮部材とが接触している請求項１又は２に記載の画像形成装置。
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
農作業機のリモコン装置であって、
電力を供給する電源と、
前記電源をオン又はオフする電源スイッチと、
指令信号に応じて農作業機の作動を制御する無線通信制御装置に前記指令信号を含んだ電波を送信する通信部と、
前記指令信号を送るための複数の指令スイッチと、
前記指令信号のデータである指令信号データを記憶する記憶部と、
前記指令スイッチ及び前記電源スイッチのいずれかがオンされるとオンされたスイッチに対応する前記指令信号データを前記記憶部から読み込んで前記通信部に送る制御部と、を有し、
前記農作業機は、前記指令信号に応じて所定の作業を開始すると、前記指令スイッチが押されつづけなくても前記所定の作業を継続して行い、
前記制御部は、前記所定の作業中に前記複数のスイッチの何れかが押された場合に前記所定の作業を停止する指令信号データを前記通信部に送る
リモコン装置。
【請求項２】
農作業機のリモコン装置であって、
電力を供給する電源と、
前記電源をオン又はオフする電源スイッチと、
指令信号に応じて農作業機の作動を制御する無線通信制御装置に前記指令信号を含んだ電波を送信する通信部と、
前記指令信号を送るための複数の指令スイッチと、
前記指令信号のデータである指令信号データを記憶する記憶部と、
前記指令スイッチ及び前記電源スイッチのいずれかがオンされるとオンされたスイッチに対応する前記指令信号データを前記記憶部から読み込んで前記通信部に送る制御部と、を有し、
前記通信部と前記制御部とは所定間隔毎に通信を行い、
前記農作業機は、前記指令信号に応じて所定の作業を開始すると、前記指令スイッチが押されつづけなくても前記所定の作業を継続して行い、前記通信が途絶した場合、前記所定の作業を停止する
リモコン装置。
【請求項３】
農作業機のリモコン装置であって、
電力を供給する電源と、
前記電源をオン又はオフする電源スイッチと、
指令信号に応じて農作業機の作動を制御する無線通信制御装置に前記指令信号を含んだ電波を送信する通信部と、
前記指令信号を送るための複数の指令スイッチと、
前記指令信号のデータである指令信号データを記憶する記憶部と、
前記指令スイッチ及び前記電源スイッチのいずれかがオンされるとオンされたスイッチに対応する前記指令信号データを前記記憶部から読み込んで前記通信部に送る制御部と、を有し、
前記農作業機は、前記指令信号に応じて所定の作業を開始すると、前記指令スイッチが押されつづけなくても前記所定の作業を継続して行い、
前記制御部は、前記農作業機の作業部の可動範囲内における障害物を検知する検知部によって障害物が検知された場合には前記所定の作業を停止する
リモコン装置。
【請求項４】
前記農作業機は、報知部を有し、
前記報知部は前記所定の作業中に、警告音によって報知を行う
請求項１ないし３のいずれか一に記載のリモコン装置。
【請求項５】
前記所定の作業とは、作業部を格納状態にする作業または作業部を展開状態にする作業であることを特徴とする請求項１ないし４のいずれか一に記載のリモコン装置。
【請求項６】
前記検知部とは、衝撃検知センサ、振動検知センサ、ジャイロセンサ、超音波センサ、赤外線センサ、又は電流値変化検知部である、請求項３に記載のリモコン装置。
【請求項７】
リモコン装置とアンテナとを含む農作業機であって、
前記アンテナは走行機体に装着される農作業機に設けられ、
前記リモコン装置は、
電力を供給する電源と、
前記電源をオン又はオフする電源スイッチと、
前記農作業機の作動を制御する指令信号を送るための複数の指令スイッチと、
前記指令信号のデータである指令信号データを記憶する記憶部と、
前記アンテナで受信した電波に含まれる前記指令信号に応じて農作業機の作動を制御する無線通信制御装置に前記指令信号を含んだ電波を送信する通信部と、
前記指令スイッチ及び前記電源スイッチのいずれかがオンされるとオンされたスイッチに対応する前記指令信号データを記憶部から読み込んで前記通信部に送る制御部と、を有し、
前記農作業機は、前記指令信号に応じて所定の作業を開始すると、前記指令スイッチが押されつづけなくても前記所定の作業を継続して行い、
前記制御部は、前記所定の作業中に前記複数のスイッチの何れかが押された場合に前記所定の作業を停止する指令信号データを前記通信部に送る
農作業機。
【請求項８】
リモコン装置とアンテナとを含む農作業機であって、
前記アンテナは走行機体に装着される農作業機に設けられ、
前記リモコン装置は、
電力を供給する電源と、
電源をオン又はオフする電源スイッチと、
前記アンテナで受信した電波に含まれる指令信号に応じて農作業機の作動を制御する無線通信制御装置に前記指令信号を含んだ電波を送信する通信部と、
農作業機の作動を制御する前記指令信号を送るための指令スイッチと、
前記指令信号のデータである指令信号データを記憶する記憶部と、
指令スイッチ及び電源スイッチのいずれかがオンされるとオンされたスイッチに対応する前記指令信号データを前記記憶部から読み込んで前記通信部に送る制御部と、を有し、
前記通信部と前記制御部とは所定間隔毎に通信を行い、
前記農作業機は、前記指令信号に応じて所定の作業を開始すると、前記指令スイッチが押されつづけなくても前記所定の作業を継続して行い、前記通信が途絶した場合、前記所定の作業を停止する
農作業機。
【請求項９】
リモコン装置とアンテナとを含む農作業機であって、
前記アンテナは走行機体に装着される農作業機に設けられ、
前記リモコン装置は、
電力を供給する電源と、
前記電源をオン又はオフする電源スイッチと、
農作業機の作動を制御する指令信号を送るための指令スイッチと、
前記アンテナで受信した電波に含まれる前記指令信号に応じて農作業機の作動を制御する無線通信制御装置に前記指令信号を含んだ電波を送信する通信部と、
前記指令信号のデータである指令信号データを記憶する記憶部と、
前記指令スイッチ及び前記電源スイッチのいずれかがオンされるとオンされたスイッチに対応する前記指令信号データを前記記憶部から読み込んで前記通信部に送る制御部と、を有し、
前記農作業機は、前記指令信号に応じて所定の作業を開始すると、前記指令スイッチが押されつづけなくても前記所定の作業を継続して行い、
前記制御部は、前記農作業機の作業部の可動範囲内における障害物を検知する検知部によって障害物が検知された場合には前記所定の作業を停止する
農作業機。
【請求項１０】
前記所定の作業中に、警告音によって報知を行う報知部をさらに有する請求項７ないし９のいずれか一に記載の農作業機。
【請求項１１】
前記所定の作業とは、作業部を格納状態にする作業または作業部を展開状態にする作業であることを特徴とする請求項７ないし９のいずれか一に記載の農作業機。
【請求項１２】
前記検知部とは、衝撃検知センサ、振動検知センサ、ジャイロセンサ、超音波センサ、赤外線センサ、又は電流値変化検知部である、請求項９に記載の農作業機。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
第１の飲料、第２の飲料及び第３の飲料を冷却させる冷却液を収容する筐体と、
前記冷却液に浸漬されると共に前記第１の飲料が通る第１の飲料管と、
前記冷却液に浸漬されると共に前記第２の飲料が通る第２の飲料管と、
前記冷却液に浸漬されると共に前記第３の飲料が通る第３の飲料管と、
を備え、
前記第１の飲料管及び前記第２の飲料管は、平面視において前記第３の飲料管を囲むように配置されており、
前記第１の飲料管と前記第２の飲料管とは、前記筐体内において上下に並んで配置されている、
飲料サーバ。
【請求項２】
前記第１の飲料管及び前記第２の飲料管は、共に螺旋状に形成されている、
請求項１に記載の飲料サーバ。
【請求項３】
前記第１の飲料管内の前記第１の飲料を注出する第１のカランと、
前記第２の飲料管内の前記第２の飲料を注出する第２のカランと、
前記第３の飲料管内の前記第３の飲料を注出する第３のカランと、
を備え、
前記第１のカラン、前記第２のカラン及び前記第３のカランは、前記筐体に直接取り付けられている、
請求項１又は２に記載の飲料サーバ。
【請求項４】
前記冷却液に浸漬されると共に第４の飲料が通る第４の飲料管を更に備え、
前記第３の飲料管及び前記第４の飲料管は、共に螺旋状に形成されており、
前記第４の飲料管は、平面視において前記第３の飲料管の内側に位置している、
請求項１〜３のいずれか一項に記載の飲料サーバ。
【請求項５】
前記第４の飲料管内の前記第４の飲料を注出する第４のカランを備え、
前記第４のカランは、前記筐体に取り付けられている、
請求項４に記載の飲料サーバ。
【請求項６】
前記第３の飲料管及び前記第４の飲料管は、前記筐体に対して脱着自在となっている、
請求項４又は５に記載の飲料サーバ。
【請求項７】
前記第１の飲料管、前記第２の飲料管及び前記第３の飲料管は、共に円管状となっており、
前記第１の飲料管の内径及び前記第２の飲料管の内径は、前記第３の飲料管の内径よりも小さい、
請求項１〜６のいずれか一項に記載の飲料サーバ。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
複数の画像データを用いてアルバム動画を作成するアルバム動画生成装置であって、
前記複数の画像データのうち、タイトルと共に表示させる画像データにタイトル用効果処理を施して、アルバム動画におけるタイトル画像を生成する効果手段を有し、
前記効果手段は、前記画像データの人物情報に応じて当該画像データと共に表示させるタイトルの色を決定し、前記決定された色のタイトルと前記画像データとから構成されるタイトル画像を生成することを特徴とするアルバム動画生成装置。
【請求項２】
前記複数の画像データを用いてアルバム動画を生成する生成手段を有し、
前記生成手段は、前記効果手段により生成したタイトル画像が前記アルバム動画において最初に再生されるように、前記アルバム動画を生成することを特徴とする請求項１に記載のアルバム動画生成装置。
【請求項３】
前記複数の画像データを用いてアルバム動画を生成する生成手段を有し、
前記生成手段は、オープニング、本編、エンディングから構成されるアルバム動画を生成し、前記効果手段により生成したタイトル画像が前記アルバム動画のオープニングにおいて再生されるように前記アルバム動画を生成することを特徴とする請求項１に記載のアルバム動画生成装置。
【請求項４】
前記効果手段は、前記画像データの人物情報に応じて、タイトルの色を半透過色にするか否かを切り替えることを特徴とする請求項１ないし３のいずれか１項に記載のアルバム動画生成装置。
【請求項５】
前記効果手段は、前記画像データに人物が含まれるときは、前記画像データから人物が含まれる領域をトリミングするか否かを決定し、トリミングすると決定した場合は、トリミングした前記画像データと前記タイトルから構成されるタイトル画像を生成することを特徴とする請求項１ないし３のいずれか１項に記載のアルバム動画生成装置。
【請求項６】
前記効果手段は、前記画像データの人物の領域をトリミングする場合は、トリミングした前記画像データと非透過色のタイトルとから構成されるタイトル画像を生成し、前記画像データに人物が含まれているがトリミングしない場合は、前記画像データに半透過色のタイトルを重畳したタイトル画像を生成することを特徴とする請求項５に記載のアルバム動画生成装置。
【請求項７】
前記効果手段は、前記画像データに人物が含まれるときに、前記画像データに含まれる人物が所定のトリミング枠に収まるか否かに応じてトリミングするか否かを決定することを特徴とする請求項５または６に記載のアルバム動画生成装置。
【請求項８】
前記効果手段は、前記画像データに人物が含まれるときに、前記画像データに含まれる人物が所定のトリミング枠に収まる場合は、前記所定のトリミング枠でトリミングした前記画像データと非透過色のタイトルとから構成されるタイトル画像を生成し、前記画像データに含まれる人物が所定のトリミング枠に収まらない場合は、前記画像データに半透過色のタイトルを重畳したタイトル画像を生成することを特徴とする請求項１ないし３のいずれか１項に記載のアルバム動画生成装置。
【請求項９】
前記効果手段は、前記画像データに人物が含まれない場合は、前記画像データの合焦情報に基づいて当該画像データの一部領域をトリミングし、トリミングした画像データと非透過色のタイトルとから構成されるタイトル画像を生成することを特徴とする請求項１ないし８のいずれか１項に記載のアルバム動画生成装置。
【請求項１０】
前記効果手段は、前記画像データの色の解析結果に応じて、タイトルの彩色を決定することを特徴とする請求項１ないし９のいずれか１項に記載のアルバム動画生成装置。
【請求項１１】
アルバム動画に対して色効果を有効か無効かに設定する設定手段を有し、
前記設定手段によって色効果が無効に設定されている場合には、前記効果手段は、無彩色タイトルと前記画像データとから構成されるタイトル画像を生成することを特徴とする請求項１ないし６のいずれか１項に記載のアルバム動画生成装置。
【請求項１２】
複数の画像データを用いてアルバム動画を作成するアルバム動画生成方法であって、
前記複数の画像データのうち、タイトルと共に表示させる画像データにタイトル用効果処理を施して、アルバム動画におけるタイトル画像を生成する効果工程を有し、
前記効果工程においては、前記画像データの人物情報に応じて当該画像データと共に表示させるタイトルの色を決定し、前記決定された色のタイトルと前記画像データとから構成されるタイトル画像を生成することを特徴とするアルバム動画生成方法。
【請求項１３】
複数の画像データを用いてアルバム動画を作成するアルバム動画生成装置を制御するためのプログラムであって、
前記複数の画像データのうち、タイトルと共に表示させる画像データにタイトル用効果処理を施して、アルバム動画におけるタイトル画像を生成する効果工程をコンピュータに実行させ、
前記効果工程においては、前記画像データの人物情報に応じて当該画像データと共に表示させるタイトルの色を決定し、前記決定された色のタイトルと前記画像データとから構成されるタイトル画像を生成することを特徴とするプログラム。
【手続補正２】
【補正対象書類名】明細書
【補正対象項目名】発明の名称
【補正方法】変更
【補正の内容】
【発明の名称】アルバム動画生成装置、アルバム動画生成方法及びプログラム
【手続補正３】
【補正対象書類名】明細書
【補正対象項目名】０００１
【補正方法】変更
【補正の内容】
【０００１】
本発明は、特に、短編アルバム形式の動画ファイルを作成するために用いて好適なアルバム動画生成装置、アルバム動画生成方法及びプログラムに関する。
【手続補正４】
【補正対象書類名】明細書
【補正対象項目名】０００７
【補正方法】変更
【補正の内容】
【０００７】
本発明に係るアルバム動画生成装置は、複数の画像データを用いてアルバム動画を作成するアルバム動画生成装置であって、前記複数の画像データのうち、タイトルと共に表示させる画像データにタイトル用効果処理を施して、アルバム動画におけるタイトル画像を生成する効果手段を有し、前記効果手段は、前記画像データの人物情報に応じて当該画像データと共に表示させるタイトルの色を決定し、前記決定された色のタイトルと前記画像データとから構成されるタイトル画像を生成することを特徴とする。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
１又は複数のコンピュータプロセッサを備え、デジタルコンテンツを配信するシステムであって、
前記１又は複数のコンピュータプロセッサは、読取可能な命令を実行することに応じて、
配信ユーザが配信するデジタルコンテンツを再生する配信画面を第１のモードで視聴ユーザに提示するステップと、
前記第１のモードの前記配信画面を介して視聴ユーザが入力した入力情報を受け付けるステップと、
前記配信画面のモードを前記第１のモードから第２のモードに変更し、前記配信画面を前記第２のモードで視聴ユーザに提示するステップと、
前記第２のモードの前記配信画面を介して視聴ユーザが入力した入力情報を受け付けるステップと、を実行し、
前記配信画面は、前記第１のモードのときに入力可能な入力情報と、前記第２のモードのときに入力可能な入力情報とが異なり、
前記入力情報は、仮想的なアイテムである、
システム。
【請求項２】
１又は複数のコンピュータプロセッサを備え、デジタルコンテンツを配信するシステムであって、
前記１又は複数のコンピュータプロセッサは、読取可能な命令を実行することに応じて、
配信ユーザが配信するデジタルコンテンツを再生する配信画面を第１のモードで視聴ユーザに提示するステップと、
前記第１のモードの前記配信画面を介して視聴ユーザが入力した入力情報を受け付けるステップと、
前記配信画面のモードを前記第１のモードから第２のモードに変更し、前記配信画面を前記第２のモードで視聴ユーザに提示するステップと、
前記第２のモードの前記配信画面を介して視聴ユーザが入力した入力情報を受け付けるステップと、を実行し、
前記配信画面は、前記第１のモードのときに入力可能な入力情報と、前記第２のモードのときに入力可能な入力情報とが異なり、
前記１又は複数のコンピュータプロセッサは、さらに、複数の配信ユーザが配信する配信中の複数のデジタルコンテンツの一覧を視聴ユーザに提示するステップを実行し、
前記複数のデジタルコンテンツの一覧は、前記配信画面のモードが前記第１のモードであるデジタルコンテンツを、前記第１のモードでないデジタルコンテンツから識別可能となるように構成されている、
システム。
【請求項３】
１又は複数のコンピュータプロセッサを備え、デジタルコンテンツを配信するシステムであって、
前記１又は複数のコンピュータプロセッサは、読取可能な命令を実行することに応じて、
配信ユーザが配信するデジタルコンテンツを再生する配信画面を第１のモードで視聴ユーザに提示するステップと、
前記第１のモードの前記配信画面を介して視聴ユーザが入力した入力情報を受け付けるステップと、
前記配信画面のモードを前記第１のモードから第２のモードに変更し、前記配信画面を前記第２のモードで視聴ユーザに提示するステップと、
前記第２のモードの前記配信画面を介して視聴ユーザが入力した入力情報を受け付けるステップと、を実行し、
前記配信画面は、前記第１のモードのときに入力可能な入力情報と、前記第２のモードのときに入力可能な入力情報とが異なり、
前記第２のモードの前記配信画面は、複数の視聴ユーザの中から特定された、入力情報を入力していない視聴ユーザによる入力情報の入力を促すように構成されている、
システム。
【請求項４】
デジタルコンテンツを配信するプログラムであって、
１又は複数のコンピュータ上で実行されることに応じて、前記１又は複数のコンピュータに、
配信ユーザが配信するデジタルコンテンツを再生する配信画面を第１のモードで視聴ユーザに提示するステップと、
前記第１のモードの前記配信画面を介して視聴ユーザが入力した入力情報を受け付けるステップと、
前記配信画面のモードを前記第１のモードから第２のモードに変更し、前記配信画面を前記第２のモードで視聴ユーザに提示するステップと、
前記第２のモードの前記配信画面を介して視聴ユーザが入力した入力情報を受け付けるステップと、を実行させ、
前記配信画面は、前記第１のモードのときに入力可能な入力情報と、前記第２のモードのときに入力可能な入力情報とが異なり、
前記入力情報は、仮想的なアイテムである、
プログラム。
【請求項５】
デジタルコンテンツを配信するプログラムであって、
１又は複数のコンピュータ上で実行されることに応じて、前記１又は複数のコンピュータに、
配信ユーザが配信するデジタルコンテンツを再生する配信画面を第１のモードで視聴ユーザに提示するステップと、
前記第１のモードの前記配信画面を介して視聴ユーザが入力した入力情報を受け付けるステップと、
前記配信画面のモードを前記第１のモードから第２のモードに変更し、前記配信画面を前記第２のモードで視聴ユーザに提示するステップと、
前記第２のモードの前記配信画面を介して視聴ユーザが入力した入力情報を受け付けるステップと、を実行させ、
前記配信画面は、前記第１のモードのときに入力可能な入力情報と、前記第２のモードのときに入力可能な入力情報とが異なり、
前記１又は複数のコンピュータに、さらに、複数の配信ユーザが配信する配信中の複数のデジタルコンテンツの一覧を視聴ユーザに提示するステップを実行させ、
前記複数のデジタルコンテンツの一覧は、前記配信画面のモードが前記第１のモードであるデジタルコンテンツを、前記第１のモードでないデジタルコンテンツから識別可能となるように構成されている、
プログラム。
【請求項６】
デジタルコンテンツを配信するプログラムであって、
１又は複数のコンピュータ上で実行されることに応じて、前記１又は複数のコンピュータに、
配信ユーザが配信するデジタルコンテンツを再生する配信画面を第１のモードで視聴ユーザに提示するステップと、
前記第１のモードの前記配信画面を介して視聴ユーザが入力した入力情報を受け付けるステップと、
前記配信画面のモードを前記第１のモードから第２のモードに変更し、前記配信画面を前記第２のモードで視聴ユーザに提示するステップと、
前記第２のモードの前記配信画面を介して視聴ユーザが入力した入力情報を受け付けるステップと、を実行させ、
前記配信画面は、前記第１のモードのときに入力可能な入力情報と、前記第２のモードのときに入力可能な入力情報とが異なり、
前記第２のモードの前記配信画面は、複数の視聴ユーザの中から特定された、入力情報を入力していない視聴ユーザによる入力情報の入力を促すように構成されている、
プログラム。
【手続補正書】
【提出日】平成30年12月18日(2018.12.18)
【手続補正１】
【補正対象書類名】明細書
【補正対象項目名】０１１３
【補正方法】変更
【補正の内容】
【０１１３】
各圧力検出素子６ａにより検出された圧脈波の振幅平均値を６Ａとし、各圧力検出素子７ａにより検出された圧脈波の振幅平均値を７Ａとすると、図１３（ａ）の状態では、６Ａと７Ａの比である（６Ａ／７Ａ）は１よりも十分に大きくなる。この状態では、圧力検出素子６ａからなる素子列を橈骨動脈Ｔに近づければ、（６Ａ／７Ａ）は１に近づく。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられる始動口と、
前記始動口への入球を契機として取得した抽選値に基づいて当否判定を実行する当否判定手段と、
前記当否判定の結果を示すための図柄が変動表示される図柄表示装置と、
前記遊技領域の所定位置に設けられ、入球可能な状態へ変化するよう作動可能な可変入球装置と、
前記当否判定が所定結果となることを示す図柄が停止表示された場合、その図柄停止後に前記可変入球装置の作動を伴う特別遊技を実行する特別遊技制御手段と、
遊技者の操作に応じて前記遊技領域に遊技球を発射可能な発射装置と、
演出的な内容が表示されるとともに、所定方向への遊技球の発射を促す案内表示がなされる演出表示装置と、を備え、
前記当否判定が所定結果となることを示す図柄が停止表示された後、特定条件の充足を契機として、前記可変入球装置が入球不能な状態で前記案内表示を前記演出表示装置に表示させ、その後に前記可変入球装置が入球可能な状態に変化するまで前記案内表示を継続して表示させ、その後の前記可変入球装置が入球可能な状態においても前記案内表示を表示させる弾球遊技機。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
被記録媒体に記録を行う記録手段を備える記録機構部と、  前記記録機構部の上部において前記記録機構部に対し回動可能に連結され、回動することにより前記記録機構部の上部を開閉する開閉部と、  前記開閉部の開いた状態を維持する支持手段と、を備え、  前記支持手段は、前記開閉部に対し回動可能に接続される第１リンク部と、前記第１リンク部に対し回動可能に接続されるとともに前記記録機構部に対し回動可能に接続される第２リンク部と、  前記第１リンク部と前記第２リンク部とが相対的に第１の角度を成す状態で前記第１リンク部と前記第２リンク部との相対的な回動を止め、前記開閉部の開いた状態を維持する第１ロック機構と、  前記第１リンク部と前記第２リンク部とが相対的に前記第１の角度より小さい第２の角度を成す状態では、前記開閉部が開く方向の前記第１リンク部と前記第２リンク部との相対的な回動を規制することで前記第２の角度を維持して、前記開閉部を開いた状態に維持させない第２ロック機構と、を備える、ことを特徴とする記録装置。
【請求項２】
請求項１に記載の記録装置において、前記第１の角度は、前記第１リンク部と前記第２リンク部とが直線状を成す角度である、ことを特徴する記録装置。
【請求項３】
請求項１または請求項２に記載の記録装置において、前記第１リンク部と前記第２リンク部とが前記第１の角度を成す方向に前記支持手段を付勢する付勢手段を備える、ことを特徴とする記録装置。
【請求項４】
請求項３に記載の記録装置において、前記付勢手段は、前記支持手段と前記記録機構部との間で引っ張り力を発揮する引っ張りばねである、ことを特徴とする記録装置。
【請求項５】
請求項１から請求項４のいずれか一項に記載の記録装置において、前記第２リンク部は、前記第１リンク部との接続部から前記開閉部側に延設される延設部を有し、  前記第２ロック機構は、前記延設部において前記第１リンク部に向かって突出する突出部を有し、  前記突出部が前記第１リンク部に当接することにより、前記第１リンク部と前記第２リンク部との相対的な回動が規制される構成である、ことを特徴とする記録装置。
【請求項６】
請求項５に記載の記録装置において、前記接続部は、前記第１リンク部及び前記第２リンク部のいずれか一方に設けられる回動軸と、他方に設けられ、前記回動軸が遊挿される長穴と、を備えて構成され、  前記第１リンク部には、前記突出部が入り込む穴部が形成され、  前記突出部が前記第１リンク部に当接した状態から、前記第１リンク部が前記第２リンク部に対してスライドすることで、前記突出部が前記穴部に入り込み、前記第１リンク部と前記第２リンク部とが相対的に前記第１の角度を成すことを特徴とする記録装置。
【請求項７】
請求項６に記載の記録装置において、前記突出部はフック状を成し、  前記突出部が前記穴部に入り込んで前記穴部の縁に係止することにより、前記第２ロック機構が、前記第１ロック機構とともに、前記第１リンク部と前記第２リンク部とが相対的に前記第１の角度を成す状態で前記第１リンク部と前記第２リンク部との相対的な回動を止める、ことを特徴とする記録装置。
【請求項８】
請求項５から請求項７のいずれか一項に記載の記録装置において、前記支持手段において前記第１リンク部と前記第２リンク部との接続部位から前記開閉部に向かって、前記第２ロック機構、前記第１ロック機構、の順に設けられている、ことを特徴とする記録装置。
【請求項９】
請求項１から請求項８のいずれか一項に記載の記録装置において、前記第１ロック機構は、前記開閉部が開かれる過程において前記第１リンク部と前記第２リンク部とが相対的に前記第１の角度を成した状態に開かれた後、前記開閉部が閉じられることで前記第１リンク部と前記第２リンク部との相対的な回動を止める構成である、ことを特徴とする記録装置。
【請求項１０】
請求項１から請求項９のいずれか一項に記載の記録装置において、前記開閉部は、原稿を読み取る読み取り機構部と、前記読み取り機構部に原稿を自動給送する給送機構部とを備えて成る、ことを特徴とする記録装置。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
液体を吐出する吐出口、および、該吐出口と連通し該吐出口から吐出する該液体を充填しておく圧力室を備える記録ヘッドと、
前記記録ヘッドへ供給される液体を貯留する第１タンクと、
前記第１タンクへ供給される液体を貯留する第２タンクと、
前記第１タンクから前記記録ヘッドへ液体を供給する供給流路と、
前記記録ヘッドから前記第１タンクへ液体を回収する回収流路と、
前記第１タンク、前記供給流路、前記圧力室の内部及び前記回収流路を含む循環経路内の液体を循環させる循環動作を行う循環手段と、
前記吐出口から排出された排出量に基づいて前記循環経路内の液体の濃度に関する値を算出する算出手段と、
前記算出手段により算出された前記濃度に関する値に基づいて前記循環経路内の液体を排出する排出動作を行う排出手段と、
前記排出手段により排出された液体の量に基づいて前記第２タンクから前記循環経路へ液体を補給する補給手段と、を備えることを特徴とする記録装置。
【請求項２】
前記算出手段は、排出量と、前記循環経路内から蒸発した蒸発量とに基づいて前記濃度に関する値を算出することを特徴とする請求項１に記載の記録装置。
【請求項３】
前記蒸発量は、前記記録ヘッドによる画像形成に使用されない前記吐出口からの蒸発量を含むことを特徴とする請求項２に記載の記録装置。
【請求項４】
前記記録ヘッドを回復する回復動作を行う回復手段をさらに備え、
前記排出量は、記録媒体に画像を形成するために前記吐出口から吐出される第１排出量と、前記回復動作により排出される第２排出量と、を含むことを特徴とする請求項１乃至３のいずれか１項に記載の記録装置。
【請求項５】
前記排出動作は、前記吐出口からの予備吐出動作を含むことを特徴とする請求項１乃至４のいずれか１項に記載の記録装置。
【請求項６】
前記予備吐出動作は、使用頻度が所定値より少ない吐出口において実行することを特徴とする請求項５に記載の記録装置。
【請求項７】
前記排出動作は、前記循環経路から液体を吸引排出する吸引動作を含むことを特徴とする請求項１乃至６のいずれか１項に記載の記録装置。
【請求項８】
前記排出手段は、前記濃度に関する値が閾値より大きい場合に前記排出動作を行うことを特徴とする請求項１乃至７のいずれか１項に記載の記録装置。
【請求項９】
前記排出手段は、印字デューティが基準値より小さい場合は第１量の液体を排出し、印字デューティが前記基準値より大きい場合は前記第１量より少ない第２量の液体を排出することを特徴とする請求項１乃至８のいずれか１項に記載の記録装置。
【請求項１０】
前記第２タンク内に貯留されている前記液体の濃度は、前記循環経路内の前記液体の濃度より低いことを特徴とする請求項１乃至９のいずれか１項に記載の記録装置。
【請求項１１】
前記吐出口をキャップするための開閉可能なキャップをさらに備え、
印刷ジョブを受信した場合、前記循環動作を開始する前に前記キャップを開けることを特徴とする請求項１乃至１０のいずれか１項に記載の記録装置。
【請求項１２】
前記吐出口からの吐出により前記液体を排出する予備吐出動作を実行するための予備吐出手段をさらに備え、
印刷ジョブを受信した場合、前記予備吐出手段は、前記キャップが開いた後であって前記循環動作を開始する前に前記予備吐出動作を実行することを特徴とする請求項１１に記載の記録装置。
【請求項１３】
前記予備吐出手段は、前記循環動作が終了した後に前記予備吐出動作を実行することを特徴とする請求項１２に記載の記録装置。
【請求項１４】
前記記録ヘッドは、前記供給流路と接続される共通供給流路と、前記共通供給流路と接続され前記圧力室へ液体を供給する個別供給流路と、前記回収流路と接続される共通回収流路と、前記共通回収流路と接続され前記圧力室から液体を回収する個別回収流路と、を有することを特徴とする請求項１乃至１３のいずれか１項に記載の記録装置。
【請求項１５】
前記記録ヘッドは、前記圧力室に設けられた記録素子が信号に基づいて発熱して液体を沸騰することで前記吐出口から液体を吐出することを特徴とする請求項１乃至１４のいずれか１項に記載の記録装置。
【請求項１６】
前記記録ヘッドは、複数の前記吐出口が記録媒体の幅に相当する領域に配列されたラインヘッドであることを特徴とする請求項１乃至１５のいずれか１項に記載の記録装置。
【請求項１７】
液体を吐出する吐出口、および、該吐出口と連通し該吐出口から吐出する該液体を充填しておく圧力室を備える記録ヘッドと、前記記録ヘッドへ供給される液体を貯留する第１タンクと、前記第１タンクへ供給される液体を貯留する第２タンクと、前記第１タンクから前記記録ヘッドへ液体を供給する供給流路と、前記記録ヘッドから前記第１タンクへ液体を回収する回収流路と、前記第１タンク、前記供給流路、前記圧力室の内部及び前記回収流路を含む循環経路内の液体を循環させる循環動作を行う循環手段と、を備える記録装置の制御方法であって、
前記吐出口から排出された排出量に基づいて前記循環経路内の液体の濃度に関する値を算出する算出工程と、
前記算出工程により算出された前記濃度に関する値に基づいて前記循環経路内の液体を排出する排出工程と、
前記排出工程により排出された液体の量に基づいて前記第２タンクから前記循環経路へ液体を補給する補給工程と、を有することを特徴とする制御方法。
【請求項１８】
請求項１７に記載の記録装置の制御方法の工程をコンピュータに実行させるためのプログラム。
【手続補正２】
【補正対象書類名】明細書
【補正対象項目名】発明の名称
【補正方法】変更
【補正の内容】
【発明の名称】記録装置、記録装置の制御方法、及びプログラム
【手続補正３】
【補正対象書類名】明細書
【補正対象項目名】０００７
【補正方法】変更
【補正の内容】
【０００７】
本発明は、液体を吐出する吐出口、および、該吐出口と連通し該吐出口から吐出する該液体を充填しておく圧力室を備える記録ヘッドと、前記記録ヘッドへ供給される液体を貯留する第１タンクと、前記第１タンクへ供給される液体を貯留する第２タンクと、前記第１タンクから前記記録ヘッドへ液体を供給する供給流路と、前記記録ヘッドから前記第１タンクへ液体を回収する回収流路と、前記第１タンク、前記供給流路、前記圧力室の内部及び前記回収流路を含む循環経路内の液体を循環させる循環動作を行う循環手段と、前記吐出口から排出された排出量に基づいて前記循環経路内の液体の濃度に関する値を算出する算出手段と、前記算出手段により算出された前記濃度に関する値に基づいて前記循環経路内の液体を排出する排出動作を行う排出手段と、前記排出手段により排出された液体の量に基づいて前記第２タンクから前記循環経路へ液体を補給する補給手段と、を備えることを特徴とする記録装置である。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
液体を吐出する吐出口、および、該吐出口と連通し該吐出口から吐出する該液体を充填しておく圧力室、を備える液体吐出ヘッドと、
前記圧力室の内部を通るように前記液体を循環させる循環手段と
を備える記録装置であって、
前記記録装置が、ジョブに基づき前記吐出口からの前記液体の吐出による画像形成を開始する直前、前記液体の循環が開始し、該画像形成が終了した場合、該液体の循環が停止することを特徴とする記録装置。
【請求項２】
前記液体の循環流速が所定速度に到達するタイミングと、前記画像形成が開始するタイミングとの間の差が、略ゼロとなるように、前記液体の循環が開始することを特徴とする請求項１に記載の記録装置。
【請求項３】
液体を吐出する吐出口、該吐出口と連通し該吐出口から吐出する該液体を充填しておく圧力室、および、該吐出口のキャップ、を備える液体吐出ヘッドと、
前記圧力室の内部を通るように前記液体を循環させる循環手段と
を備える記録装置であって、
前記キャップが開いた後、前記液体の循環が開始し、ジョブに基づく前記吐出口からの前記液体の吐出による画像形成が終了した場合、該液体の循環が停止することを特徴とする記録装置。
【請求項４】
液体を吐出する吐出口、該吐出口と連通し該吐出口から吐出する該液体を充填しておく圧力室、および、温度を上げるためのヒーター、を備える液体吐出ヘッドと、
前記圧力室の内部を通るように前記液体を循環させる循環手段と
を備える記録装置であって、
前記ヒーターによる温度調整が開始した後、前記液体の循環が開始し、ジョブに基づく前記吐出口からの前記液体の吐出による画像形成が終了した場合、該液体の循環が停止することを特徴とする記録装置。
【請求項５】
液体を吐出する吐出口、該吐出口と連通し該吐出口から吐出させる液体を充填しておく圧力室、該吐出口のキャップ、および、温度を上げるためのヒーター、を備える液体吐出ヘッドと、
前記圧力室の内部を通るように前記液体を循環させる循環手段と
を備える記録装置であって、
前記キャップが開いた後、前記ヒーターによる温度調整が開始し、
前記温度調整が開始した後、前記液体の循環が開始し、
前記液体の循環が開始した後、ジョブに基づく前記吐出口からの前記液体の吐出による画像形成が開始し、
前記画像形成が終了した場合、前記温度調整が終了し、前記液体の循環が停止し、前記キャップが閉じることを特徴とする記録装置。
【請求項６】
前記液体は、複数の色のインクを含み、前記記録装置は、前記複数の色のインクそれぞれに対する循環系を有し、前記循環系は、個別に制御されることを特徴とする請求項１乃至５の何れか１項に記載の記録装置。
【請求項７】
前記記録装置は、モノクロ用の循環系と、カラー用の循環系とを有し、
モノクロで記録する場合、前記カラー用の循環系では前記液体の循環は発生せず、カラーで記録する場合、前記モノクロ用の循環系では前記液体の循環は発生しないことを特徴とする請求項１乃至６の何れか１項に記載の記録装置。
【請求項８】
前記液体の循環が開始してから、前記液体の循環流速が所定速度に到達するまでの時間は、前記ヒーターによる温度調整が開始してから、前記液体吐出ヘッドの温度が所定温度に到達するまでの時間より短いことを特徴とする請求項４または５に記載の記録装置。
【請求項９】
前記液体吐出ヘッドは、前記圧力室の全てに連通し該全ての圧力室に液体を供給するための共通供給流路と、前記圧力室の全てに連通し該全ての圧力室から液体を回収するための共通回収流路とを更に備え、
前記記録装置は、前記液体吐出ヘッドの下流に、前記共通供給流路に接続された流路と、前記共通回収流路に接続された流路との間を流体的に接続するバイパス流路を更に備え、
前記画像形成が終了した場合、前記バイパス流路が開くことにより、前記共通供給流路と、前記共通回収流路との間の差圧が解消することを特徴とする請求項１乃至８の何れか１項に記載の記録装置。
【請求項１０】
液体を吐出する吐出口、および、該吐出口と連通し該吐出口から吐出する該液体を充填しておく圧力室、を備える液体吐出ヘッドと、
前記圧力室の内部を通るように前記液体を循環させる循環手段と
を備える記録装置であって、
前記記録装置が複数のジョブに対する記録処理を実行する場合に、該複数のジョブの内、最初のジョブに基づく、前記吐出口からの前記液体の吐出による画像形成が開始する直前に、前記液体の循環が開始し、該複数のジョブの内、最後のジョブに基づく、該画像形成が終了した場合、該液体の循環が停止することを特徴とする記録装置。
【請求項１１】
液体を吐出する吐出口、および、該吐出口と連通し該吐出口から吐出する該液体を充填しておく圧力室、を備える液体吐出ヘッドと、
前記圧力室の内部を通るように前記液体を循環させる循環手段と
を備える記録装置によって実行される記録方法であって、
前記記録装置が、ジョブに基づき前記吐出口からの前記液体の吐出による画像形成を開始する直前、前記液体の循環を開始するステップと、
前記画像形成が終了した場合、前記液体の循環を停止するステップと
を備えることを特徴とする記録方法。
【請求項１２】
コンピュータに、請求項１１に記載の方法を実行させるための、プログラム。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
搬送される媒体に液体を吐出することにより印刷を行う印刷部と、
前記印刷部から吐出された前記液体から生じたミストを回収する回収部と、
前記回収部内に前記ミストを移動させる気流発生源と、を備え、
前記回収部は、内部に前記ミストを回収させる流通経路、を有し、
前記流通経路は、壁と前記壁に設けられたリブと、を有し、
前記壁は、第１の壁と前記第１の壁に対向して配置された第２の壁と、を含み、
前記リブは、前記第１の壁から前記第２の壁に向けて設けられ、前記第２の壁との間に間隔を有する二つの第１のリブと、前記第２の壁から前記第１の壁に向けて設けられ、前記第１の壁との間に間隔を有する一つの第２のリブと、を含み、
前記二つの第１のリブの間に、前記第２のリブが設けられ、
前記第１のリブと前記第２のリブとは、前記リブが延びる方向に対して交差する方向で、互いに重なる部分を有し、
前記二つの第１のリブの内、前記ミストが移動する方向に対して下流に位置する第１のリブと前記第２のリブとの間隔は、前記二つの第１のリブの内、前記ミストが移動する方向に対して上流に位置する第１のリブと前記第２のリブとの間隔よりも狭い
ことを特徴とする印刷装置。
【請求項２】
搬送される媒体に液体を吐出することにより印刷を行う印刷部と、
前記印刷部から吐出された前記液体から生じたミストを回収する回収部と、
前記回収部内に前記ミストを移動させる気流発生源と、を備え、
前記回収部は、内部に前記ミストを回収させる流通経路、を有し、
前記流通経路は、壁と前記壁に設けられたリブと、を有し、
前記壁は、第１の壁と前記第１の壁に対向して配置された第２の壁と、を含み、
前記リブは、前記第１の壁から前記第２の壁に向けて設けられ、前記第２の壁との間に間隔を有する一つの第１のリブと、前記第２の壁から前記第１の壁に向けて設けられ、前記第１の壁との間に間隔を有する一つの第２のリブと、を含み、
前記第１のリブと前記第２のリブとは、前記リブが延びる方向に対して交差する方向で、互いに重なる部分を有し、
前記第１のリブは、前記ミストが移動する方向に対して前記第２のリブよりも上流に設けられ、
前記第２のリブの先端と前記第１の壁との間隔は、第１のリブの先端と前記第２の壁との間隔よりも狭い
ことを特徴とする印刷装置。
【請求項３】
前記ミストが移動する方向に対して、前記第２のリブよりも下流にさらに別の第１のリブを設け、
二つの第１のリブの内、前記ミストが移動する方向に対して下流に位置する第１のリブと前記第２のリブとの間隔は、前記二つの第１のリブの内、前記ミストが移動する方向に対して上流に位置する第１のリブと前記第２のリブとの間隔よりも狭い
ことを特徴とする、請求項２に記載の印刷装置。
【請求項４】
前記第１の壁は、前記リブが設けられた第１の面と、前記第１の面とは反対側の第２の面とを有する板状部材からなり、
前記第１の壁は、前記第２の面が前記回収部における前記ミストの吸入口と隙間を空けて対向し、かつ、前記流通経路の上流側に向けて傾斜させて設けられた
請求項１〜３のいずれか一項に記載の印刷装置。
【請求項５】
前記回収部は、前記媒体を支持する支持台の下方に連結され、
前記支持台には、前記回収容器における前記ミストの吸入口と連通する孔が形成され、
前記印刷部は、フラッシング時に前記媒体の一部が前記孔に位置しない状態で前記支持台に向けて前記液体を吐出し、
前記ミストを移動させるときの前記気流発生源の駆動力を可変に制御可能である
請求項１〜４のいずれか一項に記載の印刷装置。
【請求項６】
前記媒体に対する液体の占有率が閾値以上の場合における印刷終了後に前記ミストを回収するための前記気流発生源の駆動力は、前記占有率が前記閾値未満の場合における印刷終了後に前記ミストを回収するための前記気流発生源の駆動力よりも大きくなるように前記気流発生源を制御する
請求項５に記載の印刷装置。
【請求項７】
前記気流発生源は、前記印刷部のフラッシング時及び印刷時に駆動し、
前記印刷部が前記媒体の一方の面に対する印刷を終了した後から前記媒体の他方の面に対する印刷を開始するまでの期間において前記印刷部がフラッシングを行うとき、前記印刷部が前記媒体に印刷を行うときの前記気流発生源の駆動力よりも大きな駆動力となるように前記気流発生源を制御する
請求項５に記載の印刷装置。
【請求項８】
前記気流発生源は、前記印刷部のフラッシング時及び印刷時に駆動し、
前記印刷部は、前記液体を吐出可能なノズルと、前記ノズルを覆うことが可能なキャップとを備え、
前記印刷部が前記液体を吐出せず、かつ前記キャップにより前記ノズルが覆われない期間が所定時間を経過した後に前記印刷部がフラッシングを行うとき、前記印刷部が前記媒体に印刷を行うときの前記気流発生源の駆動力よりも大きな駆動力となるように前記気流発生源を制御する
請求項５に記載の印刷装置。
【請求項９】
前記気流発生源はファンであり、前記駆動力は、前記ファンの回転速度である
請求項５〜８のいずれか一項に記載の印刷装置。
【請求項１０】
前記ファンは前記流通経路の下流側に配置される
請求項９に記載の印刷装置。
【請求項１１】
前記回部内における前記流通経路を構成する部分の少なくとも一部には、前記ミストを吸収する吸収材が設けられ、
前記吸収材の内側の密度は、前記吸収材の表面側の密度よりも高い
請求項１〜１０のいずれか一項に記載の印刷装置。
【請求項１２】
搬送される媒体に液体を吐出することにより印刷を行う印刷部と、
前記印刷部から吐出された前記液体から生じたミストを回収する回収部と、
前記回収部内に前記ミストを移動させる気流発生源と、を備え、
前記回収部は、前記気流発生源で発生させた気流により前記ミストを移動させる流通経路を有し、
前記流通経路におけるミストの移動速度は、前記ミストの移動方向に対して上流よりも下流の方が速い
ことを特徴とする印刷装置。